(57)【要約】【課題】  本発明は、車両に動物、鳥の形を模して加工された装飾具を備えたキャラクター車両を簡単に容易にできるようにする。【解決手段】  ベースの車両の車体２を殆ど変更せず、上記車体２のシャーシ及び車体２に新たに部品を取り付けることにより、キャラクターバスを製造できる。【選択図】        図６
2005289199.tif 000002
【特許請求の範囲】
【請求項１】
車体前面及び車体後面の少なくともいずれか一方に動物，鳥の形を模した装備具を備えた車両において、上記車両の車体に一端が取付けられ、他端が上記車両の前方及び後方の少なくともいずれか一方に上記装飾具が装着される取付架台を設け、上記装飾具には上記取付架台に設けられた取付架台側支持ブラケットに取付けられる取付ブラケットを配設した枠部材が設けられていることを特徴とする、車両。
【請求項２】
上記装飾具の少なくとも外周部には、上記取付架台に設けられた取付架台側支持ブラケットに対応する位置に上記装飾具側取付ブラケットを配設した枠部材がモールドされていることを特徴とする、請求項１記載の車両。
【請求項３】
上記装飾具は，ゴム，スポンジ等の弾性体や弾性対内に気体を充満したものとしたことを特徴とする、請求項１又は２記載の車両。
【請求項４】
上記取付架台側支持ブラケットは、上記装飾具側取付ブラケットを載置可能な略水平又は若干の傾斜面を有したことを特徴とする、請求項１〜３のいずれか１項に記載の車両。
【請求項５】
上記装飾具が装着された下組立取付架台側取付ブラケットを上記車体側に設けられた下組立取付架台車体側支持部材に取付けるように構成したことを特徴とする、請求項１又は４記載の車両。
【請求項６】
上記の装飾具が取付けられた取付架台を搬送する搬送装置の荷受け用腕を挿脱するソケットを上記取付架台側に設けたことを特徴とする、請求項５記載の車両。
【請求項７】
上記装飾具の周辺部と、上記車体との間隙には柔軟弾性部材が介装されたことを特徴とする請求項１〜３項記載の車両。
【発明の詳細な説明】
【技術分野】
【０００１】
本発明は、車両に動物、鳥の形を模して加工された装飾具を備えたキャラクター車両に関するものである。
【背景技術】
【０００２】
従来からバスの車体をアニメの人気キャラクターや犬、猫等の動物の形に加工したキャラクターバスが販売され、遊園地や幼稚園用として好評を得ている。しかし、このバスは、ベースのバスの車体の原型を止めないほどに大幅に作り変えられて製作されており、しかも、１台毎に形状が異なるため大量生産が出来ず、殆ど手作業に頼っている。このように従来のキャラクターバスは製造の機械化が難しいため、製造コストが極めて高く、これまでの製作方法では今後とも製造コストの削減が出来ないことが問題である。そのため、多くの市場ニーズがあるにもかかわらず、実際の販売台数はそれほど多くはないのが現状である。
【０００３】
一方、従来から、フレームに取り付けたフロントグリルガード機構があるが、これは、特開平５−２１３１２６号公報に示されているように、車両前方にキャブをチルトした時に、フレームに取り付けたフロントグリルガードがリンク機構を介してキャブと共に前方にチルトするようにしたものである。このフロントグリルガードには、キャラクターを取り付けることによる見栄え向上や、緩衝材を取り付けによる衝突安全を向上させる機能は無い。
【０００４】
又、実開平４−６７１５６号公報に示されているものは、グリルガードの前にバンパーガードを取り付けたものであり、フロントグリルガードには、キャラクターを取り付けることによる見栄え向上や、緩衝材を取り付けによる衝突安全を向上させる機能を有するものでは無い。
【特許文献１】特開平５−２１３１２６号公報
【特許文献２】実開平４−６７１５６号公報
【発明の開示】
【発明が解決しようとする課題】
【０００５】
しかしながら、従来のキャラクターバスでは遊園地や幼稚園等、キャラクターバスに適した用途以外には使用できないため、そのバスが本来の使用目的を終了した場合は、普通のバスに戻すことは難しいため、廃車とする必要があった。
本発明は、このような点に鑑みなされたもので、ベースの車両のバスの車体を殆ど変更せず、バスのシャーシ及びのバスの車体に新たに部品を取り付けることにより、キャラクターバスを製造できるようにした車両を提供することを目的とする。
【課題を解決するための手段】
【０００６】
このため、請求項１記載の本発明の車両は、車体前面及び車体後面の少なくともいずれか一方に動物、鳥等の形を模した装備具を備えた車両において、上記車両の車体に一端が取付けられ、他端が上記車両の前面及び後面の少なくともいずれか一方に上記装飾具が装着される取付架台を設け、上記装飾具の少なくとも外周部には上記取付架台に設けられた取付架台側支持ブラケットに取付けられる取付ブラケットを配設した枠部材が設けられていることを特徴としている。
請求項２記載の本発明の車両は、請求項１記載の構成において、上記装飾具の少なくとも外周には、上記取付架台に設けられた取付架台側支持ブラケットに対応する位置に上記装飾具側取付ブラケットを配設した枠部材がモールドされていることを特徴としている。
【０００７】
請求項３記載の本発明の車両は、請求項１又は２記載の構成において、上記装飾具は，ゴム，スポンジ等の弾性体や弾性体内に空気を充満したものとしたことを特徴としている。
請求項４記載の本発明の車両は、請求項１〜３のいずれか１項記載の構成において、上記取付架台側支持ブラケットは、上記装飾具側取付ブラケットを載置可能な略水平又は若干の傾斜面を有したことを特徴としている。
【０００８】
請求項５記載の本発明の車両は、請求項１又は４記載の構成において、上記装飾具が装着された下組立取付架台側ブラケットを上記車体側に設けられた上記下組立取付架台支持部材に取付けるように構成したことを特徴としている。
請求項６記載の本発明の車両は、請求項５記載の構成において、上記の装飾具が取付けられた取付架台を搬送する搬送装置の荷受け用腕を挿脱するソケットを上記の取付架台側又は装飾具に設けたことを特徴としている。
【０００９】
請求項７記載の本の車両は、請求項１〜３項のいずれか１項に記載の構成において、上記装飾具の周辺部と上記車体との間隙に柔軟弾性部材が介装されたことを特徴としている。
【発明の効果】
【００１０】
以上詳述したように、請求項１記載の発明の車両によれば、車体前面及び車体後面の少なくともいずれか一方に動物、鳥等の形を模した装備具を備えた車両において、上記車両の車体に一端が取付けられ、他端が上記車両の前面及び後面の少なくともいずれか一方に上記装飾具が装着される取付架台を設け、上記装飾具には上記取付架台に設けられた取付架台側支持ブラケットに取付けられる取付ブラケットを配設した枠部材が設けられているので、装飾具を取付ける車体の前面及び後面のうちうちのいずれか一方の改造又は接着、溶接等を必要とせず、改修工数が大幅に軽減できると共に，装飾具を前もって準備できるので、ユーザの要望を敏速に対応でき，製造コストが大幅に改善される。
【００１１】
請求項２記載の本発明の車両によれば、請求項１記載の構成において、上記装飾具の少なくとも外周には、上記取付架台に設けられた取付架台側支持ブラケットに対応する位置に上記装飾具側取付ブラケットを配設した枠部材がモールドされているので、上記装飾具は上記枠部材が上記モールドにより、取付部材が露出するのを少なくして、停車中の車両の装飾具に子供等が触れても受傷をしない効果を有する。
更に装飾具の外周部に枠部材がモールドされているので、装飾具の外周部形状が任意の形状に保持でき、商品性の向上が図れる。
【００１２】
請求項３記載の本発明の車両によれば、請求項１又は２記載の構成において、上記装飾具は，ゴム，スポンジ等の弾性体や弾性体内に気体を充満したものとしたので、上記のような上記装飾具のキャラクターフェースを装着した車両は、動物園、幼稚園等子供対象とした施設での利用が多いため、弾性部材を採用することとなり、停車中の車両の装飾具に子供等触れても受傷しない効果を有する。
【００１３】
請求項４記載の本発明の車両によれば、請求項１〜３のいずれか１項記載の構成において、上記取付架台側支持ブラケットは、上記装飾具側取付ブラケットを載置可能な略水平又は若干の傾斜面を有しているので、上記取付架台側支持部材に上記装飾具を取付ける際に、上記取付架台側支持ブラッケットに載置可能なため上記装飾具側取付ブラッケトと上記取付架台側支持ブラケットとを取付ける際に、上記装飾具を抑えている必要がなく、作業員の人数が減少でき、作業効率が向上する。
【００１４】
請求項５記載の本発明の車両によれば、請求項１又は４記載の構成において、上記装飾具が装着された下組立取付架台側取付ブラケットを上記車体側に設けられた取付架台車体側支持部材に取付けるように構成したので、上記下組立取付架台側取付ブラケットを上記車体側に設けられた取付架台車体側支持部材に容易に取り付けることができる。
【００１５】
請求項６記載の本発明の車両によれば、請求項５記載の構成において、上記の装飾具が取付けられた取付架台を搬送する搬送装置の荷受け用腕を挿脱するソケットを上記の取付架台側又は上記装飾具に設けたので、上記の装飾具が取付けられた取付架台又は装飾具を搬送する搬送装置の荷受け用腕を挿脱するソケットを上記取付架台側又は上記装飾具に設けたので、上記搬送装置の荷受け用腕を挿脱する上記ソケットに係合し搬送して取付るため上記取付けるための労力を減少させて取付けることができる。
【００１６】
請求項７記載の本発明の車両によれば、請求項１〜３項のいずれか１項に記載の構成において、上記装飾具の周辺部と上記車体との間隙に柔軟弾性部材が介装されているので、上記装飾具の周辺部と上記車体との間隙を無くし、外観上、上記装飾具と上記車体とが一体構造に見えるようになり、全体としての安定感があり、商品性が向上する。
【発明を実施するための最良の形態】
【００１７】
以下、本発明の車両をキャラクターバスに適用した場合の一実施形態を図面に基づいて説明する。
図１は本発明の車両であるキャラクターバスを示す概略斜視図、図２は図１の装飾具が取付けられた下組立取付架台を分解した状態を示す概略説明図、図３は図１の３Ａ−３Ａ線に沿う主要断面を示すキャラクターフェースとバスの車体との間の間隙埋合せ状態を示す概略説明図、図４はバスの車体の前面側にキャラクターバス取付架台を取付けた状態を示す概略正面図、図５は図４の前方部の側面を示す概略側面図、図６は図４に示したキャラクターバス取付架台単体を示す概略説明図であり、（Ａ）はキャラクターバス取付架台単体を示す概略正面図、（Ｂ）は図６（Ａ）の平面を示す概略平面図、 （Ｃ）は図６（Ａ）の側面を示す概略側面図、図７は図６（Ａ）の７Ａ―７Ａ線に沿う断面を示す概略主要構成の拡大説明図、図８は図５の拡大図を示すものであり、キャラクタバス取付架台の取付ブラケット構造を示す概略説明図である。
【００１８】
以下、本発明の車両をキャラクターバスに適用した場合の一実施形態を図面に基づいて説明する。
図１は本発明の車両をキャラクターバスに適用したものであり、バス２の車体前面４及び車体後面６の少なくともいずれか一方に動物、鳥等の形を模した装飾具８を備えている。
【００１９】
この装飾具８の上記車体への取付構造は、図２に示したように上記車両２の車体に一端が取付けられ、他端が上記車両の前面４及び後面６の少なくともいずれか一方に上記装飾具８が装着される鋼管，ステンレスや樹脂製の管状部材で形成された取付架台１０を設けている。、上記装飾具８の少なくとも外周部８ａには上記取付架台１０の管状部材１０ａに一端１６ａが取付けられ他端の取付架台側支持ブラケット１６ｂを有する取付架台側支持ブラケット１６が設けられている。
【００２０】
図７に示されているように、上記装飾具８は上記取付支持ブラケット１６ｂに取付けられる取付ブラケット１２を配設した枠部材１４が設けられている。この一端が上記枠部材１４に取付けられ他端のステ-１２ｂが上記取付架台ブラケット１６ｂに当接されボルト１２ｃにて締結されている。
従って、上記装飾具８を取付ける車体２の前面４又は後面６の改造又は溶接，接着等を必要とせず、改修工数が大幅に軽減できると共に後述するように装飾具８を前もって取付架台１０に下組立をして準備しておくことができるので、ユーザの要望を敏速に対応でき、製造コストが大幅に改善される。
【００２１】
又、上記装飾具８の少なくとも外周部８ａには、上記取付架台１０に設けられた取付架台側支持ブラケット１６に対応する位置に上記装飾具側取付ブラケット１２を配設した枠部材１４が、ＦＲＰ（グラスウール）をハンドレイアップ製法（製作したい形状の木型等の表面にグラスウールを１枚ずつ接着剤等で重合していく、一般的製法）にて上記装飾具を製作していく過程において、モールドされている。これは、取付部材が露出するのを少なくし、停車中の車両の装飾具に子供等が触れても受傷をしない効果を有する。
【００２２】
上記モールドはキャラクターフェース８のモールド製作は、装飾具８の形状は、例えば装飾具８の型の上に上記ＦＲＢの布を置き、接着材を塗って何枚も重ねて固形化していく、この重合作業の途上で上記ステー部分を突出した状態上記枠部材１４を、更にＦＲＢの布を重ね接着材で重合し固形化しておけば、上記ステーをＦＲＢで支えることができるものである。
【００２３】
又、上記装飾具８は、ゴム，スポンジ等の弾性体や弾性体内に空気又は他の気体を充満したものとしたので、上記のようなキャラクターを装着した車両は、動物園、幼稚園等子供対象とした施設での利用が多いため、弾性部材を採用することとなり、停車中の車両の装飾具に子供等触れても受傷しない効果を有する。
又、上記取付架台側支持ブラケット１６は、図７に示したように、上記装飾具側取付ブラケット１２を載置可能な略水平又は若干の傾斜面を有しているので、上記取付架台側支持部材１６ｂに上記装飾具８を取付ける際に、上記取付架台側支持ブラッケット１６ｂに載置可能なため上記装飾具側取付ブラッケト１２ｂと上記取付架台側支持ブラケット１６とを取付ける際に、上記装飾具８を抑えている必要がなく、作業員の人数が減少でき、作業効率が向上する。
【００２４】
又、図８に示したように上記装飾具８が装着された下組立取付架台側取付ブラケット２０を例えばシャシーフレーム２１にＵ字状に形成され、上記下組立取付架台車体側支持部材２２にボルト２４により取付けるように構成したので、下組立取付架台側取付ブラケット２０を上記車体側に設けられた上記下組立取付架台車体側支持部材２２に容易に取り付けることができる。
【００２５】
上記取付架台１０は、図５（Ａ）（Ｃ）に示したように取付架台１０の下方の横断面が逆コ字状を呈する車幅方向に配設されたベース部材３１を有している。上記ベース部材３１には上記車両２の上方向に延設された逆U字状の基本ガード部材１０Ａの左右両端の脚部１０Ａａが図５（Ａ），（Ｃ）に示すように、上記ベース部材３１に取付けられている。
【００２６】
この基本ガード部材１０Ａには、図５に示したように車両２の車幅方向及び高さ方向に延設されたガード部材１０Ｂが車両の前面４に間隔を存して対向するように取付けられている。
上記ガード部材１０Ｂは基本ガード部材１０Ｂは上記基本ガード部材１０Ａに取付けられている下部ガード部材１０Ｂａに対して上部ガイド部材１０Ｂｂが車体２の前面に対して湾曲して接近するように上部ガード部材１０Ｂｂで構成されている。
【００２７】
又、上記ベース部材３１の左右の逆コ字状の開口端３１ａは、図５（Ｃ）に示したようにＬ字状ブラケット２０で車両後方に延存するように溶接，ボルトＢなどにより取付けられている。
又、上記の装飾具８が取付けられた取付架台１０を搬送する搬送装置２６の荷受け用腕２７が車両２の前後方向に挿脱可能に形成された挿通孔を有するソケット３０を上記取付架台１０の下部に設けたので、上記搬送装置２６の荷受け用腕２７を上記ソケット３０の挿通孔に係合し搬送して上記の装飾具８又は下組立取付架台側ブラケット２０を上記車体側に設けられた上記下組立取付架台支持部材２２に容易に取り付けることができるので、取付け労力を減少させて取付けることができる。
【００２８】
従って、本発明は、上記したように、上記装飾具８であるキャラクターフェースは発泡プラスチック、ゴム等の衝撃力吸収素材とし、バス２が衝突した場合の緩衝作用によるバス乗員の被害抑制や衝突相手への衝突時の被害抑制の機能を付与する。
又、キャラクターフェース８の周辺部とバスの車体との間隙には柔軟性部材である発泡ゴム素材等の弾性素材８ｓを取り付け、キャラクターフェース８の周辺部とバスの車体の間隙を無くし、外観上、キャラクターフェース８とバス２の車体が一体構造に見えるようにしたもので全体として安定感がある。
【００２９】
又、キャラクターフェース８と一体感を与えるように、バス２の車体をペイントし且つキャラクターフェース８と関連性のあるものをバス２の他の部分（屋根、背面等）に装着して、実態感を感じさせるようにしたものである。
又、外観上は従来と同様の注目度を有するにも関わらず、開発試験が少なく低コストのキャラクターバス２の実現を可能にすることができる。
【００３０】
車両衝突に上記キャラクターフェースが衝撃力を吸収し、衝突時の車両乗員の被害減少や相手車両への加害性の減少に貢献することができる。
又、バス２の車体の本体構造を改修することなくの製作が可能となる。
従来のキャラクターバスでは遊園地や幼稚園等、キャラクターバスに適した用途以外には使用できないため、そのバス２が本来の使用目的を終了した場合は、普通のバス２に戻すことは難しいため、廃車とする必要があった。しかし、本提案のキャラクターバスではキャラクターフェースとその関連部品を取り外し、ペイントを塗り替えることにより、ベースのバス２に容易に戻すことが可能であり、これにより別用途で使用でき、中古バス２として販売も可能となる。このようにして車両寿命を全うすることが出来るため、地球環境の面から見れば、資源の有効利用が可能なキャラクターバスである。
【００３１】
又、車両衝突においては、乗員被害の減少及び相手車両の衝突被害の減少にも効果がある。
又、本発明の実施例では動物、鳥等のキャラクターについて説明したが、これらに限定するものではなく、例えば商品，人形等も同様に装着できるものである。
【図面の簡単な説明】
【００３２】
【図１】本発明の車両であるキャラクタバスを示す概略斜視図である。
【図２】図１の装飾具が取付けられた下組立の取付架台を分解した状態を示す概略説明図である、
【図３】図１の３Ａ−３Ａ線に沿う主要断面を示すキャラクターフェースとバスの車体の間隙埋合せ状態を示す概略説明図である。
【図４】バスの車体の前面側にキャラクターバス取付架台を取付けた状態を示す概略正面図である。
【００３３】
【図５】図４の側面を示す概略側面図である。
【図６】図４のキャラクタバス取付架台単体を示す概略説明図であり、（Ａ）はキャラクターバス取付架台単体を示す概略正面図、（Ｂ）は図６（Ａ）の平面を示す概略平面図, （Ｃ）は図６（Ａ）の側面を示す概略平面図である。
【図７】図６（Ａ）の７Ａ―７Ａ線に沿う断面を示す概略説明図である。
【００３４】
【図８】図５の拡大図を示すものであり、キャラクターバス取付架台の取付      ブラケット構造を示す概略説明図である。
【符号の説明】
【００３５】
２      車両
４      前面
６      後面
８      装飾具
１０    取付架台
１２    装飾具側取付ブラッケット
１４    枠部材
１６    取付架台側支持ブラケット
２０    下組立取付架台側取付ブラケット
２２    下組立取付架台車体側支持部材
２８    荷受用の腕
３０    ソケット
【図１】
2005289199.tif 000003
【図２】
2005289199.tif 000004
【図３】
2005289199.tif 000005
【図４】
2005289199.tif 000006
【図５】
2005289199.tif 000007
【図６】
2005289199.tif 000008
【図７】
2005289199.tif 000009
【図８】
2005289199.tif 000010